【手続補正書】
【提出日】平成31年2月5日(2019.2.5)
【手続補正１】
【補正対象書類名】特許請求の範囲
【補正対象項目名】全文
【補正方法】変更
【補正の内容】
【特許請求の範囲】
【請求項１】
レンズ鏡筒を有する光学機器であって、
前記レンズ鏡筒により保持されたレンズと、
それぞれ前記レンズ鏡筒における物体側の前端部分において前記レンズよりも径方向の外側に配置され、照明光を発する発光部と、アクセサリが取り外し可能に装着されるアクセサリ装着部とを有し、
前記アクセサリ装着部は、前記発光部よりも前記径方向の内側に配置されており、
前記レンズ鏡筒には、前記前端部分に向かって前記径方向における前記レンズ鏡筒の寸法が小さくなるような斜面が設けられていることを特徴とする光学機器。
【請求項２】
前記アクセサリ装着部は、前記発光部の光出射面よりも前記物体側とは反対側の位置に設けられていることを特徴とする請求項１に記載の光学機器。
【請求項３】
前記発光部は、
光源と、
前記光源からの光を前記径方向および前記レンズ鏡筒の光軸方向に導く導光部材と、
前記導光部材からの光を拡散する拡散部材とを有することを特徴とする請求項１または２に記載の光学機器。
【請求項４】
前記発光部の光出射面は前記拡散部材の前記物体側の面であって、
前記アクセサリ装着部は、前記拡散部材の前記物体側の面よりも前記物体側とは反対側の位置に設けられていることを特徴とする請求項３に記載の光学機器。
【請求項５】
前記アクセサリ装着部は、雌ねじにより構成されていることを特徴とする請求項１から４のいずれか一項に記載の光学機器。
【請求項６】
レンズ鏡筒を有する光学機器であって、
前記レンズ鏡筒において径方向の最も外側に配置されたベース鏡筒と、
前記レンズ鏡筒の光軸が延びる方向における最も物体側に配置された第１レンズを保持して前記ベース鏡筒よりも前記径方向の内側に配置され、前記ベース鏡筒に対して前記物体側に繰り出し可能な可動鏡筒とを有し、
前記可動鏡筒が前記ベース鏡筒に対して繰り出した状態において、前記光軸上における最短撮影距離またはワーキングディスタンスにある点を頂点とし、前記第１レンズの前記物体側の面頂点を通って前記光軸に直交する面と前記可動鏡筒の外周面を前記物体側に延長した円筒面との交線を通る円錐面よりも前記径方向の内側に、前記可動鏡筒の全体と前記ベース鏡筒の全体が位置することを特徴とする光学機器。
【請求項７】
前記可動鏡筒における前記物体側の前端部分において前記第１レンズよりも前記径方向の外側に配置され、照明光を発する発光部を有することを特徴とする請求項６に記載の光学機器。
【請求項８】
前記前端部分において前記第１レンズよりも前記径方向の外側であって前記発光部よりも前記径方向の内側に、アクセサリが取り外し可能に装着されるアクセサリ装着部を有することを特徴とする請求項７に記載の光学機器。
【請求項９】
前記発光部の少なくとも一部と前記アクセサリ装着部の少なくとも一部とが、前記光軸が延びる方向において同じ位置にあることを特徴とする請求項８に記載の光学機器。
【請求項１０】
前記アクセサリ装着部は、前記発光部の光出射面よりも前記物体側とは反対側の位置に設けられていることを特徴とする請求項８または９に記載の光学機器。
【請求項１１】
前記アクセサリ装着部は、雌ねじにより構成されていることを特徴とする請求項８から１０のいずれか一項に記載の光学機器。
【請求項１２】
前記発光部は、
光源と、
前記光源からの光を前記径方向および前記レンズ鏡筒の光軸方向に導く導光部材と、
前記導光部材からの光を拡散する拡散部材とを有することを特徴とする請求項７から１１のいずれか一項に記載の光学機器。
【請求項１３】
前記発光部の光出射面は前記拡散部材の前記物体側の面であって、
前記アクセサリ装着部は、前記拡散部材の前記物体側の面よりも前記物体側とは反対側の位置に設けられていることを特徴とする請求項１２に記載の光学機器。
【手続補正２】
【補正対象書類名】明細書
【補正対象項目名】０００７
【補正方法】変更
【補正の内容】
【０００７】
本発明の一側面としての光学機器は、レンズ鏡筒により保持されたレンズと、それぞれレンズ鏡筒における物体側の前端部分のうち上記レンズよりも径方向の外側に配置され、照明光を発する発光部と、レンズアクセサリが取り外し可能に装着されるアクセサリ装着部とを有する。そして、アクセサリ装着部は、発光部よりも径方向の内側に配置されており、レンズ鏡筒には、前端部分に向かって径方向におけるレンズ鏡筒の寸法が小さくなるような斜面が設けられていることを特徴とする。
【手続補正３】
【補正対象書類名】明細書
【補正対象項目名】００２９
【補正方法】変更
【補正の内容】
【００２９】
さらに、発光部が配置された凹部２１ｂの径方向内側の壁を形成するリング状の円筒部２１ｄの内周面、つまりは発光部よりも径方向内側には、アクセサリ装着部として、雌ねじであるフィルタねじ２１ａが形成されている。円筒部２１ｄの内周面の後端には、前側を向いたリング状の平面部２１ｅが設けられている。図１に示すように、平面部２１ｅの内周に形成された円形開口からは、前述した第１保持枠５のうち前端レンズ１ａを保持した部分が前側に突出する。これにより、フィルタねじ２１ａの内周に面し、かつ前側に向かって開口する凹形状の空間Ｓが形成される。この空間Ｓを利用して不図示の光学フィルタ（保護フィルタ等のアクセサリ）の外周面に形成された雄ねじが係合することで、前端レンズ１ａを覆うように前側鏡筒２１に光学フィルタが装着される。
【手続補正４】
【補正対象書類名】明細書
【補正対象項目名】００３０
【補正方法】変更
【補正の内容】
【００３０】
このように本実施例では、前側鏡筒２１（可動鏡筒ユニットＡ）における最も物体側の前端部分のうち前端レンズ１ａよりも径方向外側に発光部が設けられている。また、前側鏡筒２１の前端部分のうち前端レンズ１ａよりも径方向外側であって発光部よりも径方向内側にはフィルタねじ２１ａが設けられている。
【手続補正５】
【補正対象書類名】明細書
【補正対象項目名】００３１
【補正方法】変更
【補正の内容】
【００３１】
ここで、発光部とフィルタねじ２１ａは、前端レンズ１ａの物体側の面頂点ＳＶに対して径方向に並ぶように配置されている。言い換えれば、フィルタねじ２１ａは、発光部の拡散板２２の光出射面よりも像側（物体側とは反対側）の位置に設けられている。さらに言い換えれば、レンズ鏡筒の光軸方向において、発光部の少なくとも一部とフィルタねじ２１ａの少なくとも一部とが同じ位置にある。そして、フィルタねじ２１ａが拡散板２２の光出射面よりも像側（物体側とは反対側）に設けられている。
【手続補正６】
【補正対象書類名】明細書
【補正対象項目名】００３２
【補正方法】変更
【補正の内容】
【００３２】
つまり、フィルタねじ２１ａが発光部より前側に突出した位置に設けられるのではなく、発光部とフィルタねじ２１ａとが光軸方向における同じ位置（領域）に設けられている。これにより、フィルタねじが発光部より前側に突出した円筒部に設けられる場合に比べて、前端レンズ１ａを被写体に近接させることができる。また、発光部から発せられた照明光が、フィルタねじ２１ａが設けられた円筒部２１ｄによって遮られることもない。
【手続補正７】
【補正対象書類名】明細書
【補正対象項目名】００３３
【補正方法】変更
【補正の内容】
【００３３】
拡散板２２は、ＬＥＤ素子２７からライトガイド２３を介して入射した照明光を拡散させるために、乳白色のアクリル材により形成されている。拡散板２２の形状は、照明光の配光特性や前側から見たときの発光部の外観を考慮して決められる。拡散板２２として、乳白色アクリル材以外の材料を用いてもよいし、拡散板２２の光出射面に凹凸模様を設けてもよい。
【手続補正８】
【補正対象書類名】明細書
【補正対象項目名】００３７
【補正方法】変更
【補正の内容】
【００３７】
次に、図３（ｂ）を用いて可動鏡筒ユニットＡ（前側鏡筒２１）がベース鏡筒ユニットＢに対して最も繰り出した状態でのレンズ鏡筒の形状について説明する。図において、３８は撮像素子６００の撮像面から最短撮影距離に位置する被写体面（以下、最近接被写体面という）を示す。このときの前端レンズ１ａの物体側の面頂点ＳＶから最近接被写体面３８までの距離をワーキングディスタンスＬとする。また、前側鏡筒２１の円筒形状の外周面２１ｆは、可動鏡筒ユニットＡの外周面に相当する。
【手続補正９】
【補正対象書類名】明細書
【補正対象項目名】００３８
【補正方法】変更
【補正の内容】
【００３８】
図３（ｂ）において、ＡＸＬで示す光軸上における最短撮影距離ＬｃまたはワーキングディスタンスＬの点（すなわち、光軸ＡＸＬと最近接被写体面３８との交点）をＮとする。そして、点Ｎを頂点とし、前端レンズ１ａの物体側の面頂点ＳＶを通って光軸ＡＸＬに直交する面Ｐと可動鏡筒ユニットＡの外周面２１ｆを物体側に延長した円筒面との交線Ｑを通る円錐面をＭとする。このとき、可動鏡筒ユニットＡの全体だけでなく、レンズ鏡筒において最も径方向外側に位置するベース鏡筒ユニットＢの全体が、円錐面Ｍよりも径方向内側に位置する。
【手続補正１０】
【補正対象書類名】明細書
【補正対象項目名】００４１
【補正方法】変更
【補正の内容】
【００４１】
図５には、本実施例の撮像システムによるマクロ撮影の様子を示している。４１は被写体であり、４２は被写体４１が載っている平面を示す。上述したようにレンズ鏡筒が先細り形状を有するため、前端レンズ１ａを被写体４１にきわめて近接させて撮影を行うことができる。特に前側鏡筒２１に上述した斜面２１ｇが設けられていることで、図示のように前側鏡筒２１が平面４２に対して斜めになる方向から前端レンズ１ａが被写体４１に十分近づくまで前側鏡筒２１が障害物としての平面４２に干渉することはない。このため、より被写体に対して自由な角度から撮影が可能となる。また、斜面２１ｇを設けることで、狭い空間にレンズ鏡筒の前端を挿入し易くなる。さらに、斜面２１ｇを設けることで、発光部を点灯させずにマクロ撮影を行う際に、レンズ鏡筒の前端によって被写体が陰になりにくくすることができる。
【手続補正１１】
【補正対象書類名】明細書
【補正対象項目名】００４３
【補正方法】変更
【補正の内容】
【００４３】
さらに、本実施例では、フィルタねじ２１ａに装着された光学フィルタは発光部（拡散板２２）を覆わない。このため、発光部からの照明光が光学フィルタの内面で反射して照明光に影響を及ぼすことを防止でき、被写体を良好に照明することができる。